(57)【要約】【課題】弾性体からなる手を挿入して用いるラケットを、対人、対物に安全で、且つ、持ち方等を気にすることなく、手を用具に挿入するだけで誰でも手軽にボールを打てるようにした。【解決手段】柔軟な素材からなる略円板状のラケットに手を挿入する際、異なるピッチ円径の周上に配置した指をかける穴を設け、手の大きさに係らずラケットが手から離れないようにした。【選択図】図２
2011131051.tif 000002
【特許請求の範囲】
【請求項１】
手を挿入して打球する弾性素材からなる略円形板状のラケットに、使用者の手の大きさに対応した異なるピッチ円径の周上に指をかける穴を設けたことにより、指先が指をかける穴に係止することで手から離脱しないようにしたことを特徴とするラケット。
【請求項２】
表裏で色を違えることを特徴とする請求項１のラケット。
【請求項３】
下辺と側縁の間にＵ字溝を設けることを特徴とする請求項１のラケット。
【発明の詳細な説明】
【技術分野】
【０００１】  本発明は、対人、対物に安全で、且つ、持ち方等を気にすることなく、手を挿入するだけで誰でも手軽にボールを打てるようにしたラケットに関するものである。
【背景技術】
【０００２】  従来の手を挿入して使用するラケットは、特許文献１に示すように弾性素材を用いたラケットを使用してボール等を打つ球技でありながら、対人、対物に安全で、万人に対して簡易なラケット球技を楽しめるラケットを提供する利点がある。
【先行技術文献】
【特許文献】
【０００３】
【特許文献１】ＵＳ２００２／００９８９２３
【発明の概要】
【発明が解決しようとする課題】
【０００４】  しかしながら、特許文献１に示すラケットでは手をラケット内にとどめておく手段がないため、ラケットが手から外れやいという課題がある。また、大人などの大きな手で使用することによって、手を挿入するための細隙が広げられ、接着がはがれやすかったり、図１の２８の留め具を通す穴が同様に広げられ、近傍より破断しやすいという欠点もある。
【課題を解決するための手段】
【０００５】  本発明によるラケットは、弾性素材の張り合わせで構成され、且つ、手を挿入するための細隙を持つことは同様であるが、大人にも子どもにも対応できる指をかける穴が複数あり、指先を係止することで手からラケットが外れない特徴を持つことで上記課題を解決する。また、手の挿入部と素材が接合されている円周部の間にＵ字溝を設けることで、他の補強材を使用するために穴などを設けることなく素材の接合を維持させながら上記欠点を解決することも可能にする。
【発明の効果】
【０００６】  本発明は子どもから大人まで対応できる手を挿入するための細隙を持つ弾性素材のラケットを提供し、安全で誰でもが簡単にラケットを使ったスポーツを楽しむことができる。
【図面の簡単な説明】
【０００７】
【図１】本発明のラケットの斜視図である
【図２】大人が手を挿入した状態の図面である。
【図３】子供が手を挿入した状態の図面である。
【図４】スペーサーを付けた状態の図面である。
【図５】表の面で打球した状態の概略図である。
【図６】裏の面で打球した状態の概略図である。
【図７】プレー状態の概略図である。
【発明を実施するための形態】
【０００８】  図１に示すように本発明のラケット１は、表の面２３と、裏の面となる他面２４を接合して構成される。ラケット１は、合成樹脂、発泡合成樹脂、合成繊維など、適宜な材質の接合で成形される略円形平板状である。側縁２１から境界３２までの間は接合面３１となるようで接着されており、下辺２２は手を挿入できるように接着されていない状態となっている。
【０００９】  下辺２２から手を挿入する際、接合面がはがれないための先端に丸みをつけたＵ字溝２８があることにより、手を挿入する細隙２７から手を出し入れする際、ラケット１の変形が緩和されて剥がれ難く、破断し難い構造となっている。更に、強度向上させる際はＵ字溝部には紐やテープを用いて補強したり、金具で補強してもよい。
【００１０】  図２、図３に示すように、前述のラケット１に手を挿入した後、プレー中に手から離れてしまわないように、大きいピッチ円径周上に配置した大人の指係止用穴２５又は小さいピッチ円径周上に配置した子どもの指係止用穴２６に手の指をひっかける。またその穴は、ラケット１の内部が汗で蒸れないよう、通気孔としても有用である。更に表の面２３を硬質材とし、他面（裏の面）２４を軟質材として、大人と子供のゲームや上級者と下級者のゲームの際には技量の差を補うために、大人や上級者は裏の面２４を手のひら側とし、子供や下級者は表の面２３を手のひら側とすることができる。
【００１１】  図４に示すように、前述ラケット１は、表の面２３と他面（裏面）２４を直接接合する代わりに、表の面２３と他面（裏面）２４の間に合成樹脂、発泡合成樹脂、合成繊維など、適宜な材質のスペーサー２９を接合することでラケット１の内部の空間の厚さを増大させて、挿入した手を圧迫しない構造とすることもできる。
【実施例】
【００１２】  プレーヤーが前記のようにラケット１を保有したら、図５に示すように表の面２３や裏の面となる他面２４でボールを打球する。なお、表の面２３と他面（裏の面）２４は色を違えており、例えば適宜指示された色の面で打球するなど、色の違いを利用した遊びも可能である。【００１３】  図５に示すように保有したら、ボールｂや風船で自由に打球しながら遊ぶが、一例として、テニスのような競技を設定する。図６のように地表面もしくは床面に長方形のコートｄを表示設定し、このコートｄの中央にネットｃを設け、このネットｃを挟んで２名のプレーヤーが対面する。そして、テニス競技のようにボールｂを枠内に収まるように打球しあうのである。【００１４】  以上、本発明を図面の実施例に基づいて説明したが、本発明は前記実施例に限定されるものではなく、特許請求の範囲に記載の構成を変更しない限りどのようにでも実施することができる。
例えば、ラケット１を両手に着用していずれかのラケット１でボールを打つようにしても良いし、前記競技をルール化して正規な競技とすることもできる。【００１５】  本発明のラケット１を用いることにより、極めて簡単に手に着用することができて、容易にボール等を打つことができるため、老若男女問わずに球技を楽しむことができ、特にルール化することにより競技として試合をすることができる。
そして本発明は、弾性素材でできていることによる安全性と、様々な手の大きさに対応する万人性、色の違いを活用することによる学習教材としての有用性を提供することができるので、幼児から年配の方までのスポーツ用具として実用的価値の高いものとなる。
【符号の説明】
【００２０】１  ラケット
２１  側縁
２２  下辺
２３  表の面
２４  他面（裏の面）
２５  通気孔兼大人の指係止用穴（外周の穴）
２６  通気孔兼子どもの指係止用穴（内周の穴）
２７  手を挿入する細隙
２８  接合面がはがれないためのＵ字溝
２９  スペーサー
３１  接合面（内面）
３２  接合面の境界（内面）
【図１】
2011131051.tif 000003
【図２】
2011131051.tif 000004
【図３】
2011131051.tif 000005
【図４】
2011131051.tif 000006
【図５】
2011131051.tif 000007
【図６】
2011131051.tif 000008
【図７】
2011131051.tif 000009